(57)【特許請求の範囲】
【請求項１】
矩形状の棚板本体と、該棚板本体の左右両端に付設される一対の側板と、該棚板本体の前端に付設される前方嵌合部と、該棚板本体の後端に付設され、一方の側に所定の幅（Ｗ）の嵌合切欠部を有する後方嵌合板とを備え、該後方嵌合部は該棚板本体の後端部から上方に屈曲し、更に内側に屈曲することで側面視がコ字形である棚板部と、
幅寸法が前記所定幅（Ｗ）より小さい所定幅（ｗ）であり、長さが前記前方嵌合部と前記後方嵌合板の間に嵌め込まれる寸法であり、平面視が矩形状の商品前出し単機の複数個を、前記棚板本体上に横並びに載置して形成される商品前出し機と、を有することを特徴とする商品前出し機付き陳列棚。
【請求項２】
前記前方嵌合部は、前記棚板本体の前方に接合されたＰＯＳレールに付設されるものであって、該棚板本体の前縁に接合する接合部材から下方に、次いで前方へ、次いで上方へ、次いで後方へそれぞれ屈曲し側面視がコ字形を含む形状であることを特徴とする請求項1記載の商品前出し機付き陳列棚。
【請求項３】
前記商品前出し単機は、少なくともローラーを前後方向に多数付設したローラー部と、前記後方嵌合板の嵌合部に係合する後方係合片を備えることを特徴とする請求項1又は２記載の商品前出し機付き陳列棚。
【請求項４】
請求項１〜３のいずれか１項記載の商品前出し機付き陳列棚を左右一対の支柱にブラケットを介して支持することを特徴とする商品陳列装置。
【請求項５】
前記商品前出し機付き陳列棚の棚板本体の両側方向で且つ後方裏面に形成された係合爪部と、該係合爪部に対向する前記ブラケットの後方上端面に形成された切欠部を係合させることを特徴とする請求項４記載の商品陳列装置。
【発明の詳細な説明】
【０００１】
【発明の属する技術分野】
本発明は、着脱自在型でありながら、陳列棚の模様替えに際し、棚板部と商品前出し機が分離することなく取外し可能であるスーパーなどで使用される商品前出し機付き陳列棚及びこれを用いた商品陳列装置に関するものである。
【０００２】
【従来の技術】
スーパー等において、陳列された商品は陳列棚の手前の方から順次売れるから、時間がたつにつれ陳列棚の手前には商品が無くなったり、ごく少量になったりする。この場合、客は陳列棚の奥の方にある商品を見逃したり、何となく取り辛かったりして、購買意欲が急速に低下し商品の売れ行きに悪い影響を及ぼすことが多くなる。これを解決する方法として、ローラー部材を前後方向に多数付設する商品前出し機をやや前方傾斜で配置した商品前出し機付き陳列棚が提案され、実用化されている。スーパー等で用いられる商品陳列棚は、冷ケース内に収納された陳列棚、あるいはいわゆるゴンドラと呼ばれる陳列棚があり、前記の商品前出し機はこれらいずれの陳列棚にも使用されるようになってきている。
【０００３】
従来の商品前出し機付き陳列棚は、従前の商品陳列棚に別部材である商品前出し単機の複数個を多数横並びに単に配置しただけの着脱自在型陳列棚形態であるか、あるいは陳列棚に商品前出し機を固定した一体型陳列棚形態であるかのいずれかである。着脱自在型陳列棚は、幅寸法が異なる種々の陳列棚に柔軟に対応できると共に、清掃作業が容易である。一方、一体型陳列棚は商品の陳列安定性に優れる。
【０００４】
【発明が解決しようとする課題】
しかしながら、近年、商品前出し機付き陳列棚では、季節毎の商品の入れ替え、新商品の陳列など陳列棚の模様替えが頻繁である。この場合、一体型陳列棚では、幅寸法が異なる他のゴンドラへの転用ができず不便である。また、転用できない陳列棚の在庫管理の問題と共に、清掃が困難で清潔感を維持することができないという問題がある。また、着脱自在型陳列棚では、模様替えの際、棚板部と商品前出し単機とがバラバラになり、これを再度組み付けるという煩雑な作業が必要となる。また、バラバラになった部材の一個でも紛失すると陳列棚を構成することができなくなるという問題がある。更に、一体型及び着脱自在型のいずれの陳列棚においても、重量のある陳列商品を載置すると、前方にかかる荷重のため、陳列棚後方が浮き上がるなど陳列安定性が悪いという問題もある。
【０００５】
従って、本発明の目的は、着脱自在型でありながら、陳列棚の模様替えに際し、棚板部と商品前出し機が分離することなく取外し可能である商品前出し機付き陳列棚及びこれを用いた商品陳列装置を提供することにある。また、本発明の他の目的は、前方に荷重がかかっても、陳列棚の後方が浮き上がることのない陳列安定性に優れる商品陳列装置を提供するものである。
【０００６】
【課題を解決するための手段】
かかる実情において、本発明者らは鋭意検討を行った結果、棚板部を商品前出し機が嵌合するケース状物とし、棚板部の後方嵌合部は一方の側に商品前出し機が挿入できる所定の幅（Ｗ）の嵌合切欠部を有するようにすれば、陳列棚の模様替えの際、棚板部と商品前出し機が分離するとなく取外し可能であること、更に、棚板本体の両側方向で且つ後方裏面に形成された係合爪部と、該係合爪部に対向する前記ブラケットの後方上端面に形成された切欠部を係合させれば、前方に荷重がかかっても、陳列棚の後方が浮き上がることがなく陳列安定性に優れること等を見出し、本発明を完成するに至った。
【０００７】
すなわち、本発明（１）は、矩形状の棚板本体と、該棚板本体の左右両端に付設される一対の側板と、該棚板本体の前端に付設される前方嵌合部と、該棚板本体の後端に付設され、一方の側に所定の幅（Ｗ）の嵌合切欠部を有する後方嵌合板とを備え、該後方嵌合部は該棚板本体の後端部から上方に屈曲し、更に内側に屈曲することで側面視がコ字形である棚板部と、幅寸法が前記所定幅（Ｗ）より小さい所定幅（ｗ）であり、長さが前記前方嵌合部と前記後方嵌合板の間に嵌め込まれる寸法であり、平面視が矩形状の商品前出し単機の複数個を、前記棚板本体上に横並びに載置して形成される商品前出し機と、を有する商品前出し機付き陳列棚を提供するものである。かかる構成を採ることにより、着脱自在型でありながら、陳列棚の模様替えにおいて、棚板部と商品前出し機が分離することなく取外しができる。このため、模様替えの作業が楽である。また、棚板部から商品前出し機を取り外すこともできるため、棚板本体面、すなわち商品陳列面などの清掃も容易である。
【０００８】
また、本発明（２）は、前記前方嵌合部は、前記棚板本体の前方に接合されたＰＯＳレールに付設されるものであって、該棚板本体の前縁に接合する接合部材から下方に、次いで前方へ、次いで上方へ、次いで後方へそれぞれ屈曲し側面視がコ字形を含む形状であることを特徴とする請求項1記載の商品前出し機付き陳列棚を提供するものである。かかる構成を採ることにより、ＰＯＳレールには商品表示カードを貼付する表示部や、商品転落防止板を挿入できる溝が付設されているから、該商品前出し機付き陳列棚をそのままゴンドラの支柱に取り付ければ商品表示機能や商品転落防止機能を容易に付与できる。また、本発明（３）は、前記商品前出し単機は、少なくともローラーを前後方向に多数付設したローラー部と、前記後方嵌合板の嵌合部に係合する後方係合片を備える前記商品前出し機付き陳列棚を提供するものである。かかる構成を採ることにより、商品の前出しを確実にすると共に、商品前出し単機と棚板部の嵌合をずれることなく確実に行うことができる。
【０００９】
また、本発明（４）は、前記商品前出し機付き陳列棚を左右一対の支柱にブラケットを介して支持する商品陳列装置を提供するものである。かかる構成を採ることにより、商品陳列装置を容易に組み立てることができる。また、本発明（５）は、前記商品前出し機付き陳列棚の棚板本体の両側方向で且つ後方裏面に形成された係合爪部と、該係合爪部に対向する前記ブラケットの後方上端面に形成された切欠部を係合させる前記商品陳列装置を提供するものである。かかる構成を採ることにより、前方に荷重がかかっても、陳列棚の後方が浮き上がることのない陳列安定性に優れる商品陳列装置とすることができる。
【００１０】
【発明の実施の形態】
次に、本発明の実施の形態における商品前出し機付き陳列棚を図１〜図３を参照して説明する。図１は本例の商品前出し機付き陳列棚の斜視図、図２は本例の商品前出し機付き陳列棚の一部を省略した分解図、図３は棚板部と商品前出し機の組み付け方法を説明する図をそれぞれ示す。図中、商品前出し機付き陳列棚１は、棚板部３と棚板部３に収納される複数個の商品前出し単機２ａ〜２ｆを横並びに配置した商品前出し機２から構成される。棚板部３は矩形状の棚板本体３１と、棚板本体３１の左右両端に付設される一対の側板３２、３３と、棚板本体３１の前端に付設される前方嵌合部３７と、棚板本体３１の後端に付設され、一方の側に所定の幅（Ｗ）の嵌合切欠部３６１を有する後方嵌合板３６とを備える。
【００１１】
棚板本体３１の左右両端に付設される一対の側板３２、３３は、棚板本体３１上に載置される商品前出し単機２ａ〜２ｆの左右方向におけるストッパーの役割を果たすものであり、本例では、前後端に切欠を有する部分側板であり、高さが商品前出し単機の高さと略同じものである。
【００１２】
棚板本体３１の後端に付設される後方嵌合板３６は、棚板本体３１の後端部から上方に屈曲し、更に内側に屈曲することで側面視がコ字形を呈するものである。また、棚板本体３１の前端に付設される前方嵌合部３７は、ＰＯＳ（Point of Salesの略）レール４の構成部材として付設され、棚板本体３１の前縁に接合する接合部材４２から下方に、次いで前方へ、次いで上方へ、次いで後方へそれぞれ屈曲し側面視がコ字形を含む形状としている。これら後方嵌合板３６及び前方嵌合部３７は前記一対の側板３２、３３との協同により、棚板部３を商品前出し単機を収納する一種のケース状としたものである。ただし、後方嵌合板３６の一方の側には所定の幅（Ｗ）の嵌合切欠部３６１を形成し、この嵌合切欠部３６１を、幅寸法が前記所定幅（Ｗ）より小さい所定幅（ｗ）の商品前出し単機２ａ・・・が上方からケース状の棚板部３に入り込む挿入口としている。ＰＯＳレール４には前方嵌合部３７の前方側に更に、商品情報を表示したシールを貼付したり、透明押し出し材による別途に作製された他のＰＯＳレールを脱着自在に装着できるＰＯＳレール板４１を付設している。また、ＰＯＳレール板４１と前方嵌合部３７間には、長尺板状の商品転落防止板が挿入される溝４３が形成されている。
【００１３】
商品前出し機２は、棚板本体３１上に複数個の商品前出し単機２ａ〜２ｆを横並びに配置したものである。商品前出し単機２ａ・・・は、幅寸法が前記所定幅（Ｗ）より小さい所定幅（ｗ）であり、長さが前方嵌合部３７と後方嵌合板３６の間に嵌め込まれる寸法であり、平面視が矩形状のものである。また、商品前出し機２はローラーを前後方向に多数付設したローラー部２２を中央部に付設すると共に、不図示の商品仕切り板の係合片が係合するものであって、商品仕切り板の掛け違いを防止するためのジグザク状溝を有する前方係合部２１と後方係合部２３をローラー部２２の前後側に備える。また、商品前出し単機２ａの後方端には後方嵌合板３６の嵌合部３６２に係合する後方係合片２３１が形成され、これにより、商品前出し単機２ａの棚板部３への設置をずれることなく確実なものとしている。また、前方端には前方嵌合部３７に嵌合する前方切欠部２４を有する。更に、前方裏面には下方切欠部２５を設けることにより、ＰＯＳレール４の接合部材４２を避け、棚板本体３１に商品前出し単機２ａが密着して載置されるようにしている。
【００１４】
本例の商品前出し機付き陳列棚１において、棚板部３と商品前出し単機２ａ・・を組み付ける方法を説明する。先ず、商品前出し単機２ａを棚板部３の係合切欠部３６１を有する側から挿入する。挿入は商品前出し単機２ａの前方端が
棚板部３の前方嵌合部３７に嵌合するように前方下りの斜め挿入とし(図３（Ａ）)、次いで商品前出し単機２ａの全体を棚板本体３１上に載置させ、そのまま右方向にずらし、右端の側板３５に当接させる（図３（Ｂ））。次いで、同様の方法で商品前出し単機２ｂについても行い（図３（Ｃ））、商品前出し単機２ｃ、２ｄ、２ｅ、２ｆについても順次繰り返して行う。これにより、図１のような商品前出し機付き陳列棚１を得ることができる。
【００１５】
本例の商品前出し機付き陳列棚１に設置される商品前出し単機２ａ・・の設置数は特に制限されず、棚板部３の幅寸法、商品前出し単機２ａ・・の幅寸法により、適宜決定される。また、商品前出し単機２ａ・・の商品前出し手段としては、前記ローラーの他、前後方向のリブ材を左右方向に適宜の間隔で設けたものや、滑り材などが付設されたものが使用できる。
【００１６】
本例の商品前出し機付き陳列棚１によれば、着脱自在型でありながら、陳列棚の模様替えにおいて、棚板部３と商品前出し機２が分離することなく取外しができる。このため、模様替えの作業が容易である。また、棚板部３から商品前出し機２を取り外すこともできるため、棚板本体３１の上面などの清掃もできる。ＰＯＳレール４には商品表示カードを貼付する表示部や、商品転落防止板を挿入できる溝４３が付設されているから、商品前出し機付き陳列棚１をそのままゴンドラの支柱に取り付ければ、商品表示機能や商品転落防止機能を容易に付与できる。
【００１７】
次に、本実施の形態における商品陳列装置について、図４〜図６を参照して説明する。図４は本例の商品陳列装置の斜視図、図５は本例の商品陳列装置の分解図、図６は棚板部とブラケットとの係止状態を説明する図である。図中、商品陳列装置１０は、後方板８の両側に付設される左右一対の支柱７ａ、７ｂにブラケット６ａ、６ｂを介して商品前出し機付き陳列棚１を支持するものである。図４中、商品陳列装置１０は商品前出し機付き陳列棚１を上下２段にしたものであるが、上下段数についてはこれに限定されず、３段以上の陳列棚とすることもできる。また、ＰＯＳレール４には、溝４３に挿入された商品転落防止板５が取り付けられている。
【００１８】
商品前出し機付き陳列棚１をブラケット６ａ、６ｂで支持する方法としては、特に制限されないが、棚板本体３１の左右両側端から下方に屈曲状に係合片３４、３５を形成し、該係合片３４、３５の内側とブラケット６ａ、６ｂの外側が当接するようにブラケット６ａ、６ｂの設置位置を調整すればよい。これにより一対のブラケット６ａ、６ｂで商品前出し機付き陳列棚１を支持すると共に、横方向のずれを防止でき安定である。また、商品前出し機付き陳列棚１の棚板本体３１の両側方向で且つ後方裏面に形成された係合爪部３８１と、係合爪部３８１に対向するブラケットの後方上端面６４に形成された切欠部６３を係合させれば、前方に荷重がかかっても、陳列棚の後方が浮き上がることのない陳列安定性に優れる商品陳列装置とすることができる。
【００１９】
係合爪部３８１は係合爪部材３８に形成されるもので、細長の長尺状本体３８２の後端から下方に屈曲し、更に前方に屈曲することで形成される側面視が略コ字状のものである。係合爪部材３８は長尺状本体３８２の上面を商品前出し機付き陳列棚１の棚板本体３１の裏面に接合することで、係合爪部３８１を長尺状本体３８２の後方且つ下方から突出するようにしている。
【００２０】
ブラケット６ｂは板状且つ先細り形状であって、後方側に支柱７ａ、７ｂに係合する係合部６２を備えると共に、上端面６４で且つ係合爪部３８１に対向する位置に切欠部６３を備える。切欠部６３は係合爪部３８１が係合する略Ｌ字状の孔形状である。また、ブラケット６の上端面６４は棚板本体３１の裏面と当接する。本例の商品陳列装置１０によれば、棚板本体３１に付設された係合爪部３８１と、ブラケットの切欠部６３を係合させるという簡単な構成により、陳列安定性に優れたものとすることができる。
【００２１】
【発明の効果】
本発明の商品前出し機付き陳列棚によれば、着脱自在型でありながら、陳列棚の模様替えにおいて、棚板部と商品前出し機が分離することなく取外しができる。このため、商品前出し単機を紛失することがないため模様替えの作業等が容易である。また、棚板部から商品前出し機を取り外すこともできるため、棚板本体面などの清掃もできる。また、棚板本体をＰＯＳレール固定型とすれば、ＰＯＳレールには商品表示カードを貼付する表示部や、商品転落防止板を挿入できる溝が付設されているから、該商品前出し機付き陳列棚をそのままゴンドラの支柱に取り付ければ商品表示機能や商品転落防止機能を容易に付与できる。なお、ＰＯＳレールの前方端に付設されるＰＯＳレール板４１には、表示シールを貼付する等の他、カードホルダーを掛けたり、透明の押し出し材により別途作製されたＰＯＳレールを掛けたりすることもできる。
【００２２】
また、本発明の商品陳列装置によれば、既存のゴンドラ用支柱に前記商品前出し機付き陳列棚商品陳列装置をブラケットを介して組み付けるのみであるため、組み付け作業が容易である。また、棚板前方に荷重がかかっても、陳列棚の後方が浮き上がることのない陳列安定性に優れる。
【図面の簡単な説明】
【図１】本実施の形態例における商品前出し機付き陳列棚の斜視図である。
【図２】本実施の形態例における商品前出し機付き陳列棚の分解図である。
【図３】棚板部と商品前出し機の組み付け方法を説明する図である。
【図４】本実施の形態例における商品陳列装置の斜視図である。
【図５】本実施の形態例における商品陳列装置の分解図である。
【図６】棚板部とブラケットとの係止状態を説明する図である。
【符号の説明】
１          商品前出し機付き陳列棚
２          商品前出し機
２ａ〜２ｆ  商品前出し単機
３          棚板部
４          ＰＯＳレール
５          商品転落防止板
６ａ、６ｂ  ブラケット
７ａ、７ｂ  支柱
１０        商品陳列装置
２１        前方係合部
２２        ローラー部
２３        後方係合部
２４        前方切欠部
２５        下方切欠部
３１        棚板本体
３２、３３  側板
３４、３５  下方係合片
３６        後方嵌合板
３７        前方嵌合部
３８        係合爪部材
４１        ＰＯＳレール
４２        接合部材
３８１      係合爪部
【図１】
0004162193.tif 000002
【図２】
0004162193.tif 000003
【図３】
0004162193.tif 000004
【図４】
0004162193.tif 000005
【図５】
0004162193.tif 000006
【図６】
0004162193.tif 000007